(57)【要約】【課題】  より集光した光を出射できる、あるいは、より多くの光を受けることのできる光学装置を提供すること。【解決手段】  基材１と、基材１に配置された第１光学素子２１と、第１レンズ部４１を含む透光樹脂体４と、遮光部５１を含み、透光樹脂体４に接する遮光樹脂体５と、を備え、第１レンズ部４１は、第１光学素子２１に対して、基材１の厚さ方向Ｚのうち、基材１から第１光学素子２１に向かう方向Ｚ１に、第１空隙Ｓ１を介して第１光学素子２１から離間しており、遮光部５１は、厚さ方向Ｚ視において、第１光学素子２１に対して厚さ方向Ｚに直交する第１方向Ｘ１側にて、基材１に起立している。【選択図】  図４
2015088518.tif 000002
【特許請求の範囲】
【請求項１】
基材と、
前記基材に配置された第１光学素子と、
第１レンズ部を含む透光樹脂体と、
遮光部を含み、前記透光樹脂体に接する遮光樹脂体と、を備え、
前記第１レンズ部は、前記第１光学素子に対して、前記基材の厚さ方向のうち、前記基材から前記第１光学素子に向かう方向に、第１空隙を介して前記第１光学素子から離間しており、
前記遮光部は、前記厚さ方向視において、前記第１光学素子に対して前記厚さ方向に直交する第１方向側にて、前記基材に起立している、光学装置。
【請求項２】
前記遮光樹脂体および前記基材の間に介在する接着層を更に備える、請求項１に記載の光学装置。
【請求項３】
前記接着層は、前記遮光部と前記基材とに接している、請求項２に記載の光学装置。
【請求項４】
前記接着層は、前記第１方向および前記厚さ方向のいずれにも直交する方向において、前記基材の全体にわたって形成されている、請求項２または請求項３に記載の光学装置。
【請求項５】
前記接着層は、遮光性の材料よりなる、請求項２ないし請求項４のいずれかに記載の光学装置。
【請求項６】
前記第１レンズ部は、前記厚さ方向視において、前記第１光学素子および前記第１空隙に重なっている、請求項１ないし請求項５のいずれかに記載の光学装置。
【請求項７】
前記第１レンズ部は、互いに反対側に位置する第１レンズ部主面および第１レンズ部裏面を有し、
前記第１レンズ部裏面は、前記第１光学素子の側を向いている、請求項１ないし請求項６のいずれかに記載の光学装置。
【請求項８】
前記第１レンズ部裏面は、前記第１空隙に露出している、請求項７に記載の光学装置。
【請求項９】
前記第１レンズ部主面および前記第１レンズ部裏面はいずれも、前記厚さ方向視において、前記第１光学素子および前記第１空隙に重なっている、請求項７または請求項８に記載の光学装置。
【請求項１０】
前記第１レンズ部主面は、前記基材の厚さ方向のうち、前記基材から前記第１光学素子に向かう方向に向かって膨らむ形状である、請求項７ないし請求項９のいずれかに記載の光学装置。
【請求項１１】
前記第１レンズ部は、前記第１方向を向く第１レンズ部側面を有し、
前記第１レンズ部側面は、前記遮光樹脂体に接している、請求項１ないし請求項１０のいずれかに記載の光学装置。
【請求項１２】
前記第１レンズ部は、第１レンズ部傾斜面を有し、
前記第１レンズ部傾斜面は、前記厚さ方向において前記第１光学素子から遠ざかるほど、前記第１レンズ部の第１光軸から遠ざかるように、前記第１光軸に対して傾斜している、請求項１ないし請求項１１のいずれかに記載の光学装置。
【請求項１３】
前記第１レンズ部傾斜面は、前記遮光部に接している、請求項１２に記載の光学装置。
【請求項１４】
前記透光樹脂体は、前記遮光部を覆う第１被覆部を含む、請求項１ないし請求項１３のいずれかに記載の光学装置。
【請求項１５】
前記第１被覆部は、前記第１空隙に露出する第１被覆部内面を有する、請求項１４に記載の光学装置。
【請求項１６】
前記第１被覆部は、前記基材に対向する第１被覆部裏面を有する、請求項１４または請求項１５に記載の光学装置。
【請求項１７】
前記第１被覆部のうち前記基材に最も近い部位の前記第１方向における寸法は、前記遮光部のうち前記基材に最も近い部位の前記第１方向における寸法よりも、小さい、請求項１４ないし請求項１６のいずれかに記載の光学装置。
【請求項１８】
前記第１被覆部のうち前記基材に最も近い部位の前記第１方向における寸法は、０．０３〜０．２０ｍｍである、請求項１４ないし請求項１７のいずれかに記載の光学装置。
【請求項１９】
前記第１被覆部は、前記第１光学素子を囲む形状である、請求項１４ないし請求項１８のいずれかに記載の光学装置。
【請求項２０】
前記遮光樹脂体は、遮光壁を含み、前記遮光壁は、前記第１レンズ部に対して前記第１方向側に位置している、請求項１ないし請求項１９のいずれかに記載の光学装置。
【請求項２１】
前記遮光壁は、前記第１レンズ部に接している、請求項２０に記載の光学装置。
【請求項２２】
前記遮光壁は、遮光壁頂面と、第１遮光壁側面と、を有し、
前記遮光壁頂面は、前記基材の厚さ方向のうち、前記基材から前記第１光学素子に向かう方向を向いており、
前記第１遮光壁側面は、前記遮光壁頂面につながっており、且つ、前記第１方向とは反対の第２方向を向いており、
前記第１遮光壁側面のうち、前記遮光壁頂面に最も近接する部位は、前記第１レンズ部に接している、請求項２０または請求項２１に記載の光学装置。
【請求項２３】
前記遮光樹脂体は、第１周辺部を含み、前記第１周辺部は、前記第１レンズ部の周囲に位置している、請求項１ないし請求項２２のいずれかに記載の光学装置。
【請求項２４】
前記第１周辺部は、第１周辺部内面を有し、前記第１周辺部内面は、前記第１レンズ部に対し第１隙間を介して離間している、請求項２３に記載の光学装置。
【請求項２５】
前記第１周辺部内面は、前記厚さ方向において前記第１光学素子から遠ざかるほど、前記第１レンズ部の第１光軸から遠ざかるように、前記第１光軸に対して傾斜している、請求項２４に記載の光学装置。
【請求項２６】
前記遮光樹脂体における遮光壁と前記第１周辺部とによって、前記第１レンズ部が囲まれている、請求項２３ないし請求項２５のいずれかに記載の光学装置。
【請求項２７】
前記遮光樹脂体は、第１光放射防止部を含み、
前記第１光放射防止部は、前記第１光学素子に対し、前記第１方向とは反対の第２方向側、あるいは、前記第１方向と前記厚さ方向とに直交する方向のいずれか一方側、に位置する部位を有する、請求項１ないし請求項２６のいずれかに記載の光学装置。
【請求項２８】
前記基材は、基板と、前記基板に形成された配線パターンと、を含む、請求項１ないし請求項２７のいずれかに記載の光学装置。
【請求項２９】
前記配線パターンは、前記第１光学素子がボンディングされた第１ダイボンディングパッドを含む、請求項２８に記載の光学装置。
【請求項３０】
第１ワイヤを更に備え、
前記配線パターンは、第１ワイヤボンディングパッドを含み、
前記第１ワイヤは、前記第１光学素子と前記第１ワイヤボンディングパッドとにボンディングされている、請求項２８または請求項２９に記載の光学装置。
【請求項３１】
前記第１光学素子および前記配線パターンを接合し、且つ、前記第１光学素子および前記配線パターンの間に介在する第１接合層を更に備える、請求項２８ないし請求項３０のいずれかに記載の光学装置。
【請求項３２】
前記基材に配置された第２光学素子を更に備え、
前記透光樹脂体は、第２レンズ部を含み、
前記第２レンズ部は、前記第２光学素子に対して、前記基材の厚さ方向のうち、前記基材から前記第１光学素子に向かう方向に、第２空隙を介して前記第２光学素子から離間しており、
前記遮光部は、前記厚さ方向視において、前記第２光学素子に対して前記第１方向とは反対の第２方向側にて、前記基材に起立している、請求項１に記載の光学装置。
【請求項３３】
前記第２レンズ部は、前記厚さ方向視において、前記第２光学素子および前記第２空隙に重なっている、請求項３２に記載の光学装置。
【請求項３４】
前記遮光樹脂体は、遮光壁を含み、前記遮光壁は、前記第２レンズ部に対して前記第２方向側に位置している、請求項３２または請求項３３に記載の光学装置。
【請求項３５】
前記基材は、基板と、前記基板に形成された配線パターンと、を含む、請求項３２ないし請求項３４のいずれかに記載の光学装置。
【請求項３６】
前記配線パターンは、前記第２光学素子がボンディングされた第２ダイボンディングパッドを含む、請求項３５に記載の光学装置。
【請求項３７】
第２ワイヤを更に備え、
前記配線パターンは、第２ワイヤボンディングパッドを含み、
前記第２ワイヤは、前記第２光学素子と前記第２ワイヤボンディングパッドとにボンディングされている、請求項３５または請求項３６に記載の光学装置。
【請求項３８】
前記第１光学素子は、発光素子であり、前記第２光学素子は、受光素子である、請求項３２ないし請求項３７のいずれかに記載の光学装置。
【請求項３９】
前記第１光学素子は、赤外線を発し、前記第２光学素子は、赤外線を受光し、
前記遮光樹脂体は、赤外線を透過させず、
前記透光樹脂体は、赤外線を透過させる、請求項３８に記載の光学装置。
【請求項４０】
近接センサとして用いられる、請求項３２ないし請求項３９のいずれかに記載の光学装置。
【発明の詳細な説明】
【技術分野】
【０００１】
本発明は、光学装置に関する。
【背景技術】
【０００２】
従来から、たとえば近接センサ等の光学装置が知られている（たとえば特許文献１参照）。同文献に開示のセンサ（光学装置）は、ガラスエポキシ基板と、発光素子と、受光素子と、１次モールド樹脂部と、２次モールド樹脂部と、を備える。発光素子および受光素子は、ガラスエポキシ基板に搭載されている。発光素子は赤外光を発する。受光素子は、受光した赤外光の量に応じた電気信号を送る。１次モールド樹脂部は、透明であり、赤外光を透過する。１次モールド樹脂部は、発光素子および受光素子を覆っている。２次モールド樹脂部は、黒色であり、赤外光を透過させない。２次モールド樹脂部は、１次モールド樹脂部を覆っている。
【０００３】
このような近接センサ（光学装置）においては、発光素子から出射される光を集光することが十分にできていない。また、同様に、受光素子が受光する光量を十分に大きくできていない。
【先行技術文献】
【特許文献】
【０００４】
【特許文献１】特開２０１０−３４１８９号公報
【発明の概要】
【発明が解決しようとする課題】
【０００５】
本発明は、上記した事情のもとで考え出されたものであって、より集光した光を出射できる、あるいは、より多くの光を受けることのできる光学装置を提供することをその主たる課題とする。
【課題を解決するための手段】
【０００６】
本発明の第１の側面によると、基材と、前記基材に配置された第１光学素子と、第１レンズ部を含む透光樹脂体と、遮光部を含み、前記透光樹脂体に接する遮光樹脂体と、を備え、前記第１レンズ部は、前記第１光学素子に対して、前記基材の厚さ方向のうち、前記基材から前記第１光学素子に向かう方向に、第１空隙を介して前記第１光学素子から離間しており、前記遮光部は、前記厚さ方向視において、前記第１光学素子に対して前記厚さ方向に直交する第１方向側にて、前記基材に起立している、光学装置が提供される。
【０００７】
好ましくは、前記遮光樹脂体および前記基材の間に介在する接着層を更に備える。
【０００８】
好ましくは、前記接着層は、前記遮光部と前記基材とに接している。
【０００９】
好ましくは、前記接着層は、前記第１方向および前記厚さ方向のいずれにも直交する方向において、前記基材の全体にわたって形成されている。
【００１０】
好ましくは、前記接着層は、遮光性の材料よりなる。
【００１１】
好ましくは、前記第１レンズ部は、前記厚さ方向視において、前記第１光学素子および前記第１空隙に重なっている。
【００１２】
好ましくは、前記第１レンズ部は、互いに反対側に位置する第１レンズ部主面および第１レンズ部裏面を有し、前記第１レンズ部裏面は、前記第１光学素子の側を向いている。
【００１３】
好ましくは、前記第１レンズ部裏面は、前記第１空隙に露出している。
【００１４】
好ましくは、前記第１レンズ部主面および前記第１レンズ部裏面はいずれも、前記厚さ方向視において、前記第１光学素子および前記第１空隙に重なっている。
【００１５】
好ましくは、前記第１レンズ部主面は、前記基材の厚さ方向のうち、前記基材から前記第１光学素子に向かう方向に向かって膨らむ形状である。
【００１６】
好ましくは、前記第１レンズ部は、前記第１方向を向く第１レンズ部側面を有し、前記第１レンズ部側面は、前記遮光樹脂体に接している。
【００１７】
好ましくは、前記第１レンズ部は、第１レンズ部傾斜面を有し、前記第１レンズ部傾斜面は、前記厚さ方向において前記第１光学素子から遠ざかるほど、前記第１レンズ部の第１光軸から遠ざかるように、前記第１光軸に対して傾斜している。
【００１８】
好ましくは、前記第１レンズ部傾斜面は、前記遮光部に接している。
【００１９】
好ましくは、前記透光樹脂体は、前記遮光部を覆う第１被覆部を含む。
【００２０】
好ましくは、前記第１被覆部は、前記第１空隙に露出する第１被覆部内面を有する。
【００２１】
好ましくは、前記第１被覆部は、前記基材に対向する第１被覆部裏面を有する。
【００２２】
好ましくは、前記第１被覆部のうち前記基材に最も近い部位の前記第１方向における寸法は、前記遮光部のうち前記基材に最も近い部位の前記第１方向における寸法よりも、小さい。
【００２３】
好ましくは、前記第１被覆部のうち前記基材に最も近い部位の前記第１方向における寸法は、０．０３〜０．２０ｍｍである。
【００２４】
好ましくは、前記第１被覆部は、前記第１光学素子を囲む形状である。
【００２５】
好ましくは、前記遮光樹脂体は、遮光壁を含み、前記遮光壁は、前記第１レンズ部に対して前記第１方向側に位置している。
【００２６】
好ましくは、前記遮光壁は、前記第１レンズ部に接している。
【００２７】
好ましくは、前記遮光壁は、遮光壁頂面と、第１遮光壁側面と、を有し、前記遮光壁頂面は、前記基材の厚さ方向のうち、前記基材から前記第１光学素子に向かう方向を向いており、前記第１遮光壁側面は、前記遮光壁頂面につながっており、且つ、前記第１方向とは反対の第２方向を向いており、前記第１遮光壁側面のうち、前記遮光壁頂面に最も近接する部位は、前記第１レンズ部に接している。
【００２８】
好ましくは、前記遮光樹脂体は、第１周辺部を含み、前記第１周辺部は、前記第１レンズ部の周囲に位置している。
【００２９】
好ましくは、前記第１周辺部は、第１周辺部内面を有し、前記第１周辺部内面は、前記第１レンズ部に対し第１隙間を介して離間している。
【００３０】
好ましくは、前記第１周辺部内面は、前記厚さ方向において前記第１光学素子から遠ざかるほど、前記第１レンズ部の第１光軸から遠ざかるように、前記第１光軸に対して傾斜している。
【００３１】
好ましくは、前記遮光樹脂体における遮光壁と前記第１周辺部とによって、前記第１レンズ部が囲まれている。
【００３２】
好ましくは、前記遮光樹脂体は、第１光放射防止部を含み、前記第１光放射防止部は、前記第１光学素子に対し、前記第１方向とは反対の第２方向側、あるいは、前記第１方向と前記厚さ方向とに直交する方向のいずれか一方側、に位置する部位を有する。
【００３３】
好ましくは、前記基材は、基板と、前記基板に形成された配線パターンと、を含む。
【００３４】
好ましくは、前記配線パターンは、前記第１光学素子がボンディングされた第１ダイボンディングパッドを含む。
【００３５】
好ましくは、第１ワイヤを更に備え、前記配線パターンは、第１ワイヤボンディングパッドを含み、前記第１ワイヤは、前記第１光学素子と前記第１ワイヤボンディングパッドとにボンディングされている。
【００３６】
好ましくは、前記第１光学素子および前記配線パターンを接合し、且つ、前記第１光学素子および前記配線パターンの間に介在する第１接合層を更に備える。
【００３７】
好ましくは、前記基材に配置された第２光学素子を更に備え、前記透光樹脂体は、第２レンズ部を含み、前記第２レンズ部は、前記第２光学素子に対して、前記基材の厚さ方向のうち、前記基材から前記第１光学素子に向かう方向に、第２空隙を介して前記第２光学素子から離間しており、前記遮光部は、前記厚さ方向視において、前記第２光学素子に対して前記第１方向とは反対の第２方向側にて、前記基材に起立している。
【００３８】
好ましくは、前記第２レンズ部は、前記厚さ方向視において、前記第２光学素子および前記第２空隙に重なっている。
【００３９】
好ましくは、前記遮光樹脂体は、遮光壁を含み、前記遮光壁は、前記第２レンズ部に対して前記第２方向側に位置している。
【００４０】
好ましくは、前記基材は、基板と、前記基板に形成された配線パターンと、を含む。
【００４１】
好ましくは、前記配線パターンは、前記第２光学素子がボンディングされた第２ダイボンディングパッドを含む。
【００４２】
好ましくは、第２ワイヤを更に備え、前記配線パターンは、第２ワイヤボンディングパッドを含み、前記第２ワイヤは、前記第２光学素子と前記第２ワイヤボンディングパッドとにボンディングされている。
【００４３】
好ましくは、前記第１光学素子は、発光素子であり、前記第２光学素子は、受光素子である。
【００４４】
好ましくは、前記第１光学素子は、赤外線を発し、前記第２光学素子は、赤外線を受光し、前記遮光樹脂体は、赤外線の透過を遮断し、前記透光樹脂体は、赤外線を透過させる。
【００４５】
好ましくは、近接センサとして用いられる。
【００４６】
本発明のその他の特徴および利点は、添付図面を参照して以下に行う詳細な説明によって、より明らかとなろう。
【図面の簡単な説明】
【００４７】
【図１】本発明の第１実施形態にかかる光学装置の斜視図である。
【図２】図１に示した光学装置の正面図である。
【図３】図１に示した光学装置の平面図である。
【図４】図３のＩＶ−ＩＶ線に沿う断面図である。
【図５】図４のＶ−Ｖ線に沿う断面図である。
【図６】図５から遮光樹脂体を省略した図ある。
【図７】図２に示した光学装置の左側面図である。
【図８】図２に示した光学装置の右側面図である。
【図９】図２に示した光学装置の底面図である。
【図１０】図５のＸ−Ｘ線に沿う断面図である。
【図１１】図５のＸＩ−ＸＩ線に沿う断面図である。
【図１２】図４の部分拡大図である。
【図１３】遮光樹脂体の製造の一工程を示す図である。
【図１４】図１３に続く一工程を示す図である。
【図１５】図１４に続く一工程を示す図である。
【図１６】本発明の第２実施形態にかかる光学装置の断面図である。
【図１７】図１６のＸＶＩＩ−ＸＶＩＩ線に沿う断面図である。
【図１８】図１６のＸＶＩＩＩ−ＸＶＩＩＩ線に沿う断面図である。
【図１９】本発明の第３実施形態にかかる光学装置の断面図である。
【図２０】図１９のＸＸ−ＸＸ線に沿う断面図である。
【図２１】図１９のＸＸＩ−ＸＸＩ線に沿う断面図である。
【発明を実施するための形態】
【００４８】
以下、本発明の実施の形態につき、図面を参照して具体的に説明する。
【００４９】
＜第１実施形態＞
図１〜図１５を用いて、本発明の第１実施形態について説明する。
【００５０】
図１は、本発明の第１実施形態にかかる光学装置の斜視図である。図２は、図１に示した光学装置の正面図である。図３は、図１に示した光学装置の平面図である。図４は、図３のＩＶ−ＩＶ線に沿う断面図である。
【００５１】
これらの図に示す光学装置１００は、近接センサである。光学装置１００は、基材１と、第１光学素子２１と、第２光学素子２２と、透光樹脂体４と、遮光樹脂体５と、第１ワイヤ７１（図５、図６参照）と、第２ワイヤ７２（図５、図６参照）と、接着層７６と、第１接合層７８１と、第２接合層７８２と、を備える。
【００５２】
図４等に示す基材１は、基板１１と、配線パターン１２とを含む。
【００５３】
基板１１は絶縁性材料よりなる。このような絶縁性材料は、たとえば、樹脂もしくはセラミックである。前記樹脂としては、たとえば、ガラスエポキシ樹脂や、ビスマレイミド−トリアジン樹脂、もしくは、ポリフェニレンエーテル（ＰＰＥ）樹脂が挙げられる。前記セラミックとしては、たとえば、アルミナ、もしくは、窒化アルミニウムが挙げられる。
【００５４】
基板１１は、基板主面１１１と、基板裏面１１２と、を有する。基板主面１１１および基板裏面１１２は互いに反対側を向く。基板主面１１１および基板裏面１１２はいずれも平坦である。
【００５５】
配線パターン１２は、基板１１に形成されており、具体的には、基板主面１１１および基板裏面１１２に形成されている。配線パターン１２は、たとえば電解メッキにより形成される。配線パターン１２には、樹脂よりなるレジスト層（図示略）が形成されている場合もある。
【００５６】
図４、図６、図９に示すように、配線パターン１２は、第１ダイボンディングパッド１２１と、第１ワイヤボンディングパッド１２２と、第２ダイボンディングパッド１２３と、第２ワイヤボンディングパッド１２４と、４つの裏面パッド１２９を有する。
【００５７】
第１ダイボンディングパッド１２１には第１光学素子２１がボンディングされている。本実施形態では、第１ダイボンディングパッド１２１は矩形状である。第１ワイヤボンディングパッド１２２には第１ワイヤ７１がボンディングされている。
【００５８】
第２ダイボンディングパッド１２３には第２光学素子２２がボンディングされている。本実施形態では、第２ダイボンディングパッド１２３は矩形状である。第２ワイヤボンディングパッド１２４には第２ワイヤ７２がボンディングされている。
【００５９】
４つの裏面パッド１２９は、第１ダイボンディングパッド１２１と、第１ワイヤボンディングパッド１２２と、第２ダイボンディングパッド１２３と、第２ワイヤボンディングパッド１２４に、それぞれ、導通している。ある裏面パッド１２９および第１ダイボンディングパッド１２１、ある裏面パッド１２９および第１ワイヤボンディングパッド１２２、ある裏面パッド１２９および第２ダイボンディングパッド１２３、ある裏面パッド１２９および第２ワイヤボンディングパッド１２４は、ぞれぞれ、スルーホール電極を介して導通している。
【００６０】
図４〜図６、図１０等に示す第１光学素子２１は発光素子であり、たとえばＬＥＤチップである。第１光学素子２１は赤外光を発する。第１光学素子２１は基材１に配置されている。具体的には、第１光学素子２１は基板１１の基板主面１１１に配置されている。第１光学素子２１は、第１ワイヤ７１を介して基板主面１１１に形成された第１ワイヤボンディングパッド１２２と導通している。第１光学素子２１は、厚さ方向Ｚ視において矩形状である。
【００６１】
図４〜図６、図１１等に示す第２光学素子２２は、受光素子であり、たとえばフォトダイオード、フォトトランジスタ、あるいはフォトＩＣである。第２光学素子２２は赤外光を受光する。第２光学素子２２は、受光した赤外光を、当該赤外光の量に応じた電気信号に変換する。第２光学素子２２は基材１に配置されている。具体的には、第２光学素子２２は基板１１の基板主面１１１に配置されている。第２光学素子２２は、第２ワイヤ７２を介して基板主面１１１に形成された第２ワイヤボンディングパッド１２４と導通している。第２光学素子２２は、厚さ方向Ｚ視において矩形状である。
【００６２】
図５、図６、図１０等に示す第１ワイヤ７１は、第１光学素子２１と基材１（第１ダイボンディングパッド１２１）とにボンディングされている。これにより、第１光学素子２１と第１ダイボンディングパッド１２１とが導通している。
【００６３】
図５、図６、図１１等に示す第２ワイヤ７２は、第２光学素子２２と基材１（第２ワイヤボンディングパッド１２４）とにボンディングされている。これにより、第２光学素子２２と第２ワイヤボンディングパッド１２４とが導通している。
【００６４】
図４等に示す第１接合層７８１は、第１光学素子２１を基材１に対し接合している。第１接合層７８１は、第１光学素子２１と配線パターン１２（本実施形態においては第１ダイボンディングパッド１２１）との間に位置する。第１接合層７８１は、第１光学素子２１と配線パターン１２（本実施形態においては第１ダイボンディングパッド１２１）とに直接接している。第１接合層７８１は、導電性の材料よりなる。第１接合層７８１は、たとえば、銀ペーストである。第１接合層７８１が導電性を有する材料よりなるため、第１接合層７８１を介して第１光学素子２１と第１ダイボンディングパッド１２１とが導通している。
【００６５】
第２接合層７８２は、第２光学素子２２を基材１に対し接合している。第２接合層７８２は、第２光学素子２２と配線パターン１２（本実施形態においては第２ダイボンディングパッド１２３）との間に位置する。第２接合層７８２は、第２光学素子２２と配線パターン１２（本実施形態においては第２ダイボンディングパッド１２３）とに直接接している。第２接合層７８２は、導電性の材料よりなる。第２接合層７８２は、たとえば、銀ペーストである。第２接合層７８２が導電性を有する材料よりなるため、第２接合層７８２を介して第２光学素子２２と第２ダイボンディングパッド１２３とが導通している。
【００６６】
図１〜図４等に示す透光樹脂体４は基材１に固定されている。具体的には、透光樹脂体４は、基材１の基板主面１１１側に配置されている。透光樹脂体４は、たとえば、可視光を透過させない樹脂よりなる。このような樹脂としては、熱硬化性のエポキシ樹脂が挙げられる。また、このような樹脂はたとえば黒色である。本実施形態では、透光樹脂体４は、第１光学素子２１からの光（本実施形態では赤外線）を透過可能である。透光樹脂体４の屈折率は、たとえば、１．３〜１．７である。
【００６７】
図４に示すように、透光樹脂体４と基材１との間には、第１空隙Ｓ１および第２空隙Ｓ２が形成されている。本実施形態においては、第１空隙Ｓ１に第１光学素子２１と透光樹脂体４とが露出している。第２空隙Ｓ２に第２光学素子２２と透光樹脂体４とが露出している。
【００６８】
透光樹脂体４は、第１レンズ部４１と、第２レンズ部４２と、第１被覆部４３と、第２被覆部４４と、を含む。
【００６９】
第１レンズ部４１は、第１光学素子２１に対して、基材１の厚さ方向Ｚのうち、基材１から第１光学素子２１に向かう方向Ｚ１に、第１空隙Ｓ１を介して第１光学素子２１から離間している。第１レンズ部４１は、厚さ方向Ｚ視において、第１光学素子２１および第１空隙Ｓ１に重なっている。
【００７０】
図４に示すように、第１レンズ部４１は、第１レンズ部主面４１１と、第１レンズ部裏面４１２と、第１レンズ部側面４１３と、第１レンズ部傾斜面４１４と、を有する。
【００７１】
第１レンズ部主面４１１および第１レンズ部裏面４１２は、互いに反対側に位置する。第１レンズ部主面４１１および第１レンズ部裏面４１２はいずれも、厚さ方向Ｚ視において、第１光学素子２１および第１空隙Ｓ１に重なっている。第１レンズ部主面４１１は、基材１の厚さ方向Ｚのうち、基材１から第１光学素子２１に向かう方向（方向Ｘ１）に向かって膨らむ形状である。第１レンズ部裏面４１２は、第１光学素子２１の側（方向Ｘ２）を向いている。第１レンズ部裏面４１２は、第１空隙Ｓ１に露出している。本実施形態では、第１レンズ部裏面４１２は平坦である。第１レンズ部裏面４１２は平坦である必要はなく、曲面であってもよい。本実施形態では、第１レンズ部裏面４１２は第１光学素子２１からの光が入射する入射面として機能する。一方、第１レンズ部主面４１１は、第１レンズ部裏面４１２に入射した光が出射する出射面として機能する。
【００７２】
第１レンズ部側面４１３は、厚さ方向Ｚに直交する第１方向Ｘ１を向いている。第１レンズ部側面４１３は、平坦である。第１レンズ部側面４１３は、遮光樹脂体５に接している。第１レンズ部側面４１３は、第１レンズ部主面４１１に連続している。
【００７３】
第１レンズ部傾斜面４１４は、厚さ方向Ｚにおいて第１光学素子２１から遠ざかるほど、第１レンズ部４１の第１光軸Ｌ１から遠ざかるように、第１光軸Ｌ１に対して傾斜している。第１レンズ部傾斜面４１４は平坦である。第１レンズ部傾斜面４１４は、遮光部５１（後述）に接している。本実施形態では、第１レンズ部傾斜面４１４は、厚さ方向Ｚ視において第１光学素子２１を囲む輪状である。
【００７４】
第２レンズ部４２は、第２光学素子２２に対して、基材１の厚さ方向Ｚのうち、基材１から第２光学素子２２に向かう方向Ｚ１に、第２空隙Ｓ２を介して第２光学素子２２から離間している。第２レンズ部４２は、厚さ方向Ｚ視において、第２光学素子２２および第２空隙Ｓ２に重なっている。
【００７５】
図４に示すように、第２レンズ部４２は、第２レンズ部主面４２１と、第２レンズ部裏面４２２と、第２レンズ部側面４２３と、第２レンズ部傾斜面４２４と、を有する。
【００７６】
第２レンズ部主面４２１および第２レンズ部裏面４２２は、互いに反対側に位置する。第２レンズ部主面４２１および第２レンズ部裏面４２２はいずれも、厚さ方向Ｚ視において、第２光学素子２２および第２空隙Ｓ２に重なっている。第２レンズ部主面４２１は、基材１の厚さ方向Ｚのうち、基材１から第２光学素子２２に向かう方向（方向Ｚ１）に向かって膨らむ形状である。第２レンズ部裏面４２２は、第２光学素子２２の側（Ｚ２）を向いている。第２レンズ部裏面４２２は、第２空隙Ｓ２に露出している。本実施形態では、第２レンズ部裏面４２２は平坦である。第２レンズ部裏面４２２は平坦である必要はなく、曲面であってもよい。本実施形態では、第２レンズ部主面４２１は、第１光学素子２１にて出射されて、反射体（図示略）にて反射した光が入射する入射面として機能する。一方、第２レンズ部裏面４２２は、第２レンズ部主面４２１に入射した光が出射する出射面として機能する。
【００７７】
第２レンズ部側面４２３は、第１方向Ｘ１とは反対の第２方向Ｘ２を向いている。第２レンズ部側面４２３は、平坦である。第２レンズ部側面４２３は、遮光樹脂体５に接している。第２レンズ部側面４２３は、第２レンズ部主面４２１に連続している。
【００７８】
第２レンズ部傾斜面４２４は、厚さ方向Ｚにおいて第２光学素子２２から遠ざかるほど、第２レンズ部４２の第２光軸Ｌ２から遠ざかるように、第２光軸Ｌ２に対して傾斜している。第２レンズ部傾斜面４２４は平坦である。第２レンズ部傾斜面４２４は、遮光部５１（後述）に接している。本実施形態では、第２レンズ部傾斜面４２４は、厚さ方向Ｚ視において第２光学素子２２を囲む輪状である。
【００７９】
図４、図５、図１０等に示す第１被覆部４３は、遮光部５１（後述）を覆っている。第１被覆部４３は、第１空隙Ｓ１に露出する第１被覆部内面４３１を有する。図１２に示すように、第１被覆部４３は、基材１に対向する第１被覆部裏面４３２を有する。第１被覆部４３のうち基材１に最も近い部位の第１方向Ｘ１における寸法Ｌ１１は、たとえば、０．０３〜０．２０ｍｍである。図５に示すように、本実施形態では、第１被覆部４３は、第１光学素子２１を囲む形状である。
【００８０】
第２被覆部４４は、遮光部５１を覆っている。第２被覆部４４は、第２空隙Ｓ２に露出する第２被覆部内面４４１を有する。図１２に示すように、第２被覆部４４は、基材１に対向する第２被覆部裏面４４２を有する。第２被覆部４４のうち基材１に最も近い部位の第２方向Ｘ２における寸法Ｌ２２は、たとえば、０．０３〜０．２０ｍｍである。図５に示すように、本実施形態では、第２被覆部４４は、第２光学素子２２を囲む形状である。
【００８１】
図１〜図５等に示す遮光樹脂体５は透光樹脂体４に接している。遮光樹脂体５は、可視光および赤外光のいずれをも透過させない。遮光樹脂体５は、たとえばエポキシ樹脂よりなる。
【００８２】
図４等に示すように、遮光樹脂体５は、遮光部５１と、第１光放射防止部５２と、第２光放射防止部５３と、遮光壁５６と、第１周辺部５７と、第２周辺部５８と、を含む。
【００８３】
遮光部５１は、厚さ方向Ｚ視において、第１光学素子２１に対して厚さ方向Ｚに直交する第１方向Ｘ１側にて、基材１に起立している。同様に、厚さ方向Ｚ視において、第２光学素子２２に対して、第１方向Ｘ１とは反対の第２方向Ｘ２側にて、基材１に起立している。すなわち、遮光部５１は、厚さ方向Ｚ視において、第１光学素子２１と第２光学素子２２との間に配置されている。遮光部５１の方向Ｘ３における寸法は、基材１の方向Ｘ３の寸法と同一である。遮光部５１によって、第１光学素子２１から放たれた赤外光が、光学装置１００内を通過し第２光学素子２２に直接入射することが防止される。図１２に示すように、第１被覆部４３のうち基材１に最も近い部位の第１方向Ｘ１における寸法Ｌ１１は、遮光部５１のうち基材１に最も近い部位の第１方向Ｘ１における寸法ＬＬよりも、小さい。第２被覆部４４のうち基材１に最も近い部位の第２方向Ｘ２における寸法Ｌ２２は、遮光部５１のうち基材１に最も近い部位の第２方向Ｘ２における寸法ＬＬよりも、小さい。
【００８４】
図４、図１２に示すように、遮光部５１は、第１遮光部内面５１１と、第２遮光部内面５１２と、第１遮光部表面５１３と、第２遮光部表面５１４と、遮光部底面５１６と、を有する。
【００８５】
第１遮光部内面５１１は、第１光学素子２１の位置する側を向いている。第１遮光部内面５１１は、第１レンズ部４１の第１光軸Ｌ１に対して傾斜している。本実施形態では、第１遮光部内面５１１は、厚さ方向Ｚにおいて基材１に近づくほど、第１レンズ部４１の第１光軸Ｌ１から遠ざかるように、第１光軸Ｌ１に対して傾斜している。第１遮光部内面５１１は、第１被覆部４３に覆われている。
【００８６】
第２遮光部内面５１２は、第２光学素子２２の位置する側を向いている。第２遮光部内面５１２は、第２レンズ部４２の第２光軸Ｌ２に対して傾斜している。本実施形態では、第２遮光部内面５１２は、厚さ方向Ｚにおいて基材１に近づくほど、第２レンズ部４２の第２光軸Ｌ２から遠ざかるように、第２光軸Ｌ２に対して傾斜している。第２遮光部内面５１２は、第２被覆部４４に覆われている。
【００８７】
第１遮光部表面５１３は、第１遮光部内面５１１に連続している。第１遮光部表面５１３は平坦である。第１遮光部表面５１３は、厚さ方向Ｚにおいて基材１から遠ざかるほど、第１レンズ部４１の第１光軸Ｌ１から遠ざかるように、第１光軸Ｌ１に対して傾斜している。第１遮光部表面５１３は、第１レンズ部４１に接している。具体的には、第１遮光部表面５１３は、第１レンズ部４１における第１レンズ部傾斜面４１４に接している。
【００８８】
第２遮光部表面５１４は、第２遮光部内面５１２に連続している。第２遮光部表面５１４は平坦である。第２遮光部表面５１４は、厚さ方向Ｚにおいて基材１から遠ざかるほど、第２レンズ部４２の第２光軸Ｌ２から遠ざかるように、第２光軸Ｌ２に対して傾斜している。第２遮光部表面５１４は、第２レンズ部４２に接している。具体的には、第２遮光部表面５１４は、第２レンズ部４２における第２レンズ部傾斜面４２４に接している。
【００８９】
遮光部底面５１６は、基材１の位置する側を向いている。遮光部底面５１６は、基材１の基板主面１１１に対向している。遮光部底面５１６は平坦である。本実施形態では、遮光部底面５１６は、第１被覆部裏面４３２および第２被覆部裏面４４２と面一である。
【００９０】
図４、図５等に示す第１光放射防止部５２は、第１光学素子２１に対し、第１方向Ｘ１とは反対の第２方向Ｘ２側、あるいは、第１方向Ｘ１と厚さ方向Ｚとに直交する方向のいずれか一方（方向Ｘ３あるいは方向Ｘ４）側、に位置する部位を有する。本実施形態では、第１光放射防止部５２は、第１光学素子２１に対し、第２方向Ｘ２側、方向Ｘ３側、および、方向Ｘ４側に位置する部位を有する。また、本実施形態では、第１光放射防止部５２と遮光部５１とによって、第１空隙Ｓ１が囲まれている。そのため、第１光学素子２１から放たれた光は、光学装置１００の横方向には出射されない。
【００９１】
第１光放射防止部５２は、第１光放射防止部内面５２１を有する。
【００９２】
第１光放射防止部内面５２１は、第１光学素子２１の位置する側を向いている。第１光放射防止部内面５２１は、第１レンズ部４１の第１光軸Ｌ１に対して傾斜している。本実施形態では、第１光放射防止部内面５２１は、厚さ方向Ｚにおいて基材１に近づくほど、第１レンズ部４１の第１光軸Ｌ１から遠ざかるように、第１光軸Ｌ１に対して傾斜している。第１光放射防止部内面５２１は、第１被覆部４３に覆われている。
【００９３】
図４、図５等に示す第２光放射防止部５３は、第２光学素子２２に対し、第１方向Ｘ１側、あるいは、第１方向Ｘ１と厚さ方向Ｚとに直交する方向のいずれか一方（方向Ｘ３あるいは方向Ｘ４）側、に位置する部位を有する。本実施形態では、第２光放射防止部５３は、第２光学素子２２に対し、第１方向Ｘ１側、方向Ｘ３側、および、方向Ｘ４側に位置する部位を有する。また、本実施形態では、第２光放射防止部５３と遮光部５１とによって、第２空隙Ｓ２が囲まれている。そのため、第２光学素子２２から放たれた光は、光学装置１００の横方向には出射されない。
【００９４】
第２光放射防止部５３は、第２光放射防止部内面５３１を有する。
【００９５】
第２光放射防止部内面５３１は、第２光学素子２２の位置する側を向いている。第２光放射防止部内面５３１は、第２レンズ部４２の第２光軸Ｌ２に対して傾斜している。本実施形態では、第２光放射防止部内面５３１は、厚さ方向Ｚにおいて基材１に近づくほど、第２レンズ部４２の第２光軸Ｌ２から遠ざかるように、第２光軸Ｌ２に対して傾斜している。第２光放射防止部内面５３１は、第２被覆部４４に覆われている。
【００９６】
図３、図４等に示す遮光壁５６は、第１レンズ部４１に対して第１方向Ｘ１側に位置している。本実施形態では、遮光壁５６は、第１レンズ部４１に接している。遮光壁５６は、厚さ方向Ｚ視において、第１光学素子２１と第２光学素子２２との間に配置されている。遮光壁５６の方向Ｘ３における寸法は、基材１の方向Ｘ３の寸法と同一である。遮光壁５６によって、第１光学素子２１から放たれた赤外光が、第１レンズ部４１と第２レンズ部４２とを経由して第２光学素子２２に直接入射することが防止される。
【００９７】
図４に示すように、遮光壁５６は、遮光壁頂面５６０と、第１遮光壁側面５６１と、第２遮光壁側面５６２と、を有する。
【００９８】
遮光壁頂面５６０は、基材１の厚さ方向Ｚのうち、基材１から第１光学素子２１に向かう方向Ｚ１を向いている。遮光壁頂面５６０は透光樹脂体４から露出している。
【００９９】
第１遮光壁側面５６１は、遮光壁頂面５６０につながっており、且つ、第２方向Ｘ２を向いている。第１遮光壁側面５６１のうち、遮光壁頂面５６０に最も近接する部位５６１Ａは、第１レンズ部４１に接している。具体的には、遮光壁頂面５６０に最も近接する部位５６１Ａは、第１レンズ部４１における第１レンズ部側面４１３に接している。
【０１００】
第２遮光壁側面５６２は、遮光壁頂面５６０につながっており、且つ、第１方向Ｘ１を向いている。第２遮光壁側面５６２のうち、遮光壁頂面５６０に最も近接する部位５６２Ａは、第２レンズ部４２に接している。具体的には、遮光壁頂面５６０に最も近接する部位５６２Ａは、第２レンズ部４２における第２レンズ部側面４２３に接している。
【０１０１】
図３、図４等に示す第１周辺部５７は、第１レンズ部４１の周囲に位置している。第１周辺部５７は、第１周辺部内面５７１を有する。第１周辺部内面５７１は、第１レンズ部４１に対し第１隙間５７９を介して離間している。第１周辺部内面５７１は、厚さ方向Ｚにおいて第１光学素子２１から遠ざかるほど、第１レンズ部４１の第１光軸Ｌ１から遠ざかるように、第１光軸Ｌ１に対して傾斜している。第１周辺部５７と遮光壁５６とによって、第１レンズ部４１が囲まれている。
【０１０２】
図３、図４等に示す第２周辺部５８は、第２レンズ部４２の周囲に位置している。第２周辺部５８は、第２周辺部内面５８１を有する。第２周辺部内面５８１は、第２レンズ部４２に対し第２隙間５８９を介して離間している。第２周辺部内面５８１は、厚さ方向Ｚにおいて第２光学素子２２から遠ざかるほど、第２レンズ部４２の第２光軸Ｌ２から遠ざかるように、第２光軸Ｌ２に対して傾斜している。第２周辺部５８と遮光壁５６とによって、第２レンズ部４２が囲まれている。
【０１０３】
図４、図１２等に示す接着層７６は、遮光樹脂体５および基材１の間に介在し、遮光樹脂体５を基材１に接合している。接着層７６は、遮光部５１と基材１とに接している。本実施形態では、接着層７６は、透光樹脂体４の第１被覆部４３および第２被覆部４４に接している。接着層７６は、第１方向Ｘ１および厚さ方向Ｚのいずれにも直交する方向Ｘ３において、基材１の全体にわたって形成されている。接着層７６は、遮光性の材料よりなる。接着層７６は、たとえば、ボンディングシートもしくは液体接着剤からなる。ボンディングシートには、たとえばエポキシ系のものがある。ボンディングシートは、熱硬化型のものであってもよいし、熱可塑型のものであってもよい。液体接着剤は、たとえば、ＵＶ系のものや、アクリル系のものがある。
【０１０４】
なお、第１空隙Ｓ１および第２空隙Ｓ２は密閉されていてもよい。あるいは、遮光樹脂体５と基材１との間に隙間（図示略）が形成されることにより、第１空隙Ｓ１や第２空隙Ｓ２が密閉されていなくてもよい。
【０１０５】
次に、光学装置１００の製造方法を簡単に説明する。
【０１０６】
まず、図１３に示すように、上金型８１１および下金型８１２を用いて、遮光樹脂体５を製造する。次に、遮光樹脂体５から上金型８１１および下金型８１２を取り外す。次に、遮光樹脂体５を、図１４に示す上金型８２１および下金型８２２で挟み込む。上金型８２１および下金型８２２に囲まれた空間に樹脂を流し込むことにより、透光樹脂体４が製造される。遮光樹脂体５に形成された凹部（遮光部５１と第１光放射防止部５２とによって規定された凹部、あるいは、遮光部５１と第２光放射防止部５３とによって規定された凹部）に、下金型８２２をはめ込んだ際、下金型８２２と凹部の内面にはわずかに隙間が存在する。この隙間に樹脂が流れこむことにより、上述の第１被覆部４３や第２被覆部４４が形成される。次に、図１５に示すように、基材１に遮光樹脂体５等を貼り付ける。その後、遮光樹脂体５および基材１を切断することにより、光学装置１００が製造される。
【０１０７】
次に、本実施形態の作用効果について説明する。
【０１０８】
本実施形態では、第１レンズ部４１は、第１光学素子２１に対して、基材１の厚さ方向Ｚのうち、基材１から第１光学素子２１に向かう方向Ｚ１に、第１空隙Ｓ１を介して第１光学素子２１から離間している。このような構成によると、第１光学素子２１から出射された光は、第１空隙Ｓ１から第１レンズ部４１に入射する際に屈折する。また、第１レンズ部４１から第１レンズ部４１の外部に出射される際にも、光は屈折する。これにより、光学装置１００から放たれる光をより集光させることが可能となる。
【０１０９】
本実施形態では、第２レンズ部４２は、第２光学素子２２に対して、基材１の厚さ方向Ｚのうち、基材１から第２光学素子２２に向かう方向Ｚ１に、第２空隙Ｓ２を介して第２光学素子２２から離間している。このような構成によると、第２レンズ部４２の外部から第２レンズ部４２に向かって進む光は、第２レンズ部４２に入射する際に屈折する。また、第２レンズ部４２から第２空隙Ｓ２に出射される際にも、光は屈折する。これにより、光学装置１００における第２光学素子２２がより多くの光を受けることができる。
【０１１０】
以上より、本実施形態においては、より集光した光を出射でき、且つ、より多くの光を受けることのできる光学装置１００が提供される。
【０１１１】
本実施形態においては、接着層７６が、遮光樹脂体５および基材１の間に介在する。このような光学装置１００は、透光樹脂体４および遮光樹脂体５からなる樹脂体を、基板１１に貼り付けることによって製造される。そのため、透光樹脂体４および遮光樹脂体５の製造工程を、基板１１への第１光学素子２１，第２光学素子２２等の搭載工程とは別の工程にて行うことができる。そうすると、光学装置１００の製造者が透光樹脂体４および遮光樹脂体５の製造を行う必要がないため、光学装置１００の製造のための初期費用の低減を図ることができる。
【０１１２】
また、透光樹脂体４および遮光樹脂体５からなる樹脂体を、基板１１に貼り付けることによって製造することは、第１空隙Ｓ１および第２空隙Ｓ２を有する光学装置１００を提供するのに適する。
【０１１３】
本実施形態では、第１被覆部４３のうち基材１に最も近い部位の第１方向Ｘ１における寸法Ｌ１１は、遮光部５１のうち基材１に最も近い部位の第１方向Ｘ１における寸法ＬＬよりも、小さい。このことは、第１光学素子２１と遮光部５１との距離を小さくする点において有利である。本実施形態では、第２被覆部４４のうち基材１に最も近い部位の第２方向Ｘ２における寸法Ｌ２２は、遮光部５１のうち基材１に最も近い部位の第２方向Ｘ２における寸法ＬＬよりも、小さい。このことは、第２光学素子２２と遮光部５１との距離を小さくする点において有利である。したがって、本実施形態では、第１光学素子２１と第２光学素子２２との距離を小さくするのに適する。
【０１１４】
本実施形態では、第１遮光壁側面５６１のうち、遮光壁頂面５６０に最も近接する部位５６１Ａは、第１レンズ部４１に接している。このような構成によると、遮光壁５６と第１レンズ部４１との間に隙間を形成する必要がない。遮光壁５６と第１レンズ部４１との間に隙間を形成する必要がないと、上金型８２１を製造しやすい。
【０１１５】
本実施形態では、第２遮光壁側面５６２のうち、遮光壁頂面５６０に最も近接する部位５６２Ａは、第２レンズ部４２に接している。このような構成によると、遮光壁５６と第２レンズ部４２との間に隙間を形成する必要がない。遮光壁５６と第２レンズ部４２との間に隙間を形成する必要がないと、上金型８２１を製造しやすい。
【０１１６】
＜第２実施形態＞
図１６〜図１８を用いて、本発明の第２実施形態について説明する。
【０１１７】
図１６は、本発明の第２実施形態にかかる光学装置の断面図である。図１７は、図１６のＸＶＩＩ−ＸＶＩＩ線に沿う断面図である。図１８は、図１６のＸＶＩＩＩ−ＸＶＩＩＩ線に沿う断面図である。
【０１１８】
本実施形態の光学装置２００は、透光樹脂体４の形状が光学装置１００とは異なる。具体的には、第１レンズ部４１の第２方向Ｘ２側にも、透光樹脂体４の一部が存在している。同様に、第２レンズ部４２の第１方向Ｘ１側にも、透光樹脂体４の一部が存在している。
【０１１９】
このような構成によっても、光学装置１００と同様の作用効果を奏することが可能となる。
【０１２０】
＜第３実施形態＞
図１９〜図２１を用いて、本発明の第３実施形態について説明する。
【０１２１】
図１９は、本発明の第３実施形態にかかる光学装置の断面図である。図２０は、図１９のＸＸ−ＸＸ線に沿う断面図である。図２１は、図１９のＸＸＩ−ＸＸＩ線に沿う断面図である。
【０１２２】
本実施形態の光学装置３００は、以下の点において光学装置２００と異なる。図２０に示すように、遮光樹脂体５の形状が光学装置２００とは異なる。具体的には、第１光放射防止部５２に開口が形成されており、第１空隙Ｓ１が光学装置３００外部と通じている。同様に、図２１に示すように、第２光放射防止部５３に開口が形成されており第２空隙Ｓ２が光学装置３００外部と通じている。
【０１２３】
このような構成によっても、光学装置１００と同様の作用効果を奏することが可能となる。
【０１２４】
本発明は、上述した実施形態に限定されるものではない。本発明の各部の具体的な構成は、種々に設計変更自在である。
【０１２５】
なお、本実施形態とは異なり、第１光放射防止部５２、第２光放射防止部５３、第１周辺部５７、および第２周辺部５８の少なくともいずれかを、遮光樹脂体５が含んでいない構成を採用してもよい。
【０１２６】
なお、光学装置は、光学素子として、第１光学素子を備えているが第２光学素子を備えていないものであってもよい。この場合の第１光学素子は、発光素子でもよいし、受光素子であってもよい。
【符号の説明】
【０１２７】
１００，２００，３００  光学装置
１  基材
１１  基板
１１１  基板主面
１１２  基板裏面
１２  配線パターン
１２１  第１ダイボンディングパッド
１２２  第１ワイヤボンディングパッド
１２３  第２ダイボンディングパッド
１２４  第２ワイヤボンディングパッド
１２９  裏面パッド
２１  第１光学素子
２２  第２光学素子
４  透光樹脂体
４１  第１レンズ部
４１１  第１レンズ部主面
４１２  第１レンズ部裏面
４１３  第１レンズ部側面
４１４  第１レンズ部傾斜面
４２  第２レンズ部
４２１  第２レンズ部主面
４２２  第２レンズ部裏面
４２３  第２レンズ部側面
４２４  第２レンズ部傾斜面
４３  第１被覆部
４３１  第１被覆部内面
４３２  第１被覆部裏面
４４  第２被覆部
４４１  第２被覆部内面
４４２  第２被覆部裏面
５  遮光樹脂体
５１  遮光部
５１１  第１遮光部内面
５１２  第２遮光部内面
５１３  第１遮光部表面
５１４  第２遮光部表面
５１６  遮光部底面
５２  第１光放射防止部
５２１  第１光放射防止部内面
５３  第２光放射防止部
５３１  第２光放射防止部内面
５６  遮光壁
５６０  遮光壁頂面
５６１  第１遮光壁側面
５６１Ａ  部位
５６２  第２遮光壁側面
５６２Ａ  部位
５７  第１周辺部
５７１  第１周辺部内面
５７９  第１隙間
５８  第２周辺部
５８１  第２周辺部内面
５８９  第２隙間
７１  第１ワイヤ
７２  第２ワイヤ
７６  接着層
７８１  第１接合層
７８２  第２接合層
８１１  上金型
８１２  下金型
８２１  上金型
８２２  下金型
Ｌ１  第１光軸
Ｌ１１  寸法
Ｌ２２  寸法
Ｌ２  第２光軸
ＬＬ  寸法
Ｓ１  第１空隙
Ｓ２  第２空隙
Ｘ１  第１方向
Ｘ２  第２方向
Ｘ３  方向
Ｘ４  方向
Ｚ  厚さ方向
Ｚ１  方向
Ｚ２  方向
【図１】
2015088518.tif 000003
【図２】
2015088518.tif 000004
【図３】
2015088518.tif 000005
【図４】
2015088518.tif 000006
【図５】
2015088518.tif 000007
【図６】
2015088518.tif 000008
【図７】
2015088518.tif 000009
【図８】
2015088518.tif 000010
【図９】
2015088518.tif 000011
【図１０】
2015088518.tif 000012
【図１１】
2015088518.tif 000013
【図１２】
2015088518.tif 000014
【図１３】
2015088518.tif 000015
【図１４】
2015088518.tif 000016
【図１５】
2015088518.tif 000017
【図１６】
2015088518.tif 000018
【図１７】
2015088518.tif 000019
【図１８】
2015088518.tif 000020
【図１９】
2015088518.tif 000021
【図２０】
2015088518.tif 000022
【図２１】
2015088518.tif 000023